(57)【特許請求の範囲】
【請求項１】
パネルユニットを備えた画像形成装置であって、
前記パネルユニットは、表示操作画面とパネル制御部を有し、
前記パネル制御部は、
印刷設定のための文書のプレビュー画像を前記表示操作画面上に表示するプレビュー表示部と、
前記表示操作画面上で前記プレビュー画像の一部が選択されてから選択が解除されるまでの操作種別及び操作位置に応じて異なる内容の印刷設定を受け付ける設定操作受付部と、
前記設定操作受付部により受け付けられた印刷設定を前記プレビュー画像に反映させる設定反映部と、
を備え、
前記プレビュー画像は、異なる内容の前記印刷設定としての後処理設定を入力させ表示するものであり、前記後処理設定は、少なくとも、パンチ穴、ステープル、集約印刷、両面印刷、及び回転の設定を含み、
前記プレビュー表示部は、少なくとも、前記パンチ穴の設定、前記ステープルの設定、前記集約印刷の設定のための３つのガイドアイコンを前記プレビュー画像中に表示し、３つの前記ガイドアイコンは、前記後処理設定の内容に対応した形状で、前記後処理設定の内容の属性に応じた位置に配置されており、
前記設定操作受付部は、
（１）前記プレビュー画像上の３つの前記ガイドアイコンに対するタップ操作により、前記パンチ穴と前記ステープルの位置、及び前記集約印刷の設定を受け付け、受け付けた設定内容のドラッグアンドドロップ操作で設定変更を受け付け、
（２）前記プレビュー画像の一辺のドラッグ操作によりなぞられた辺を綴じ辺とする前記両面印刷の設定を受け付け、
（３）前記プレビュー画像の非ガイドアイコン領域からのドラッグ操作による回転軌跡で前記回転の設定を受け付け、
前記設定反映部は、
（１）前記パンチ穴と前記ステープルの位置、及び前記集約印刷のための３つの前記ガイドアイコンを塗り画像にして強調表示し、
（２）前記両面印刷の設定の場合は、前記プレビュー画像の一辺を塗り画像により強調表示し、
（３）前記回転の設定の場合は、前記プレビュー画像自体が回転させるか、又は回転アイコンを表示させ、
さらに、前記設定操作受付部は受け付けた設定内容のフリック操作により設定内容のキャンセルを受け付け、前記設定反映部はキャンセルされた前記設定内容を前記プレビュー画像から削除することを特徴とする画像形成装置。
【請求項２】
請求項１記載の画像形成装置であって、
前記プレビュー表示部は、プレビュー画像と部数表示領域を前記表示操作画面上に表示させ、
前記部数表示領域内には、印刷部数に応じた数字と、前記数字分の部数の文書を重ねたイメージの部数アイコンとが表示され、
前記設定操作受付部は、前記プレビュー画像を前記部数表示領域内へ、前記印刷部数に応じた数字分の回数のドラッグアンドドロップ操作することにより、前記印刷部数の設定を受け付け、
前記設定反映部は、設定が受け付けられた前記印刷部数を、前記部数表示領域内の前記数字と前記部数アイコンの重ね合わせ枚数とに反映させることを特徴とする画像形成装置。 
【発明の詳細な説明】
【技術分野】
【０００１】
本発明は、例えば、パンチやステープルのような後処理設定等の印刷設定を行うための画像形成装置に関する。
【背景技術】
【０００２】
デジタル複合機等の画像形成装置としては、タッチパネル式の画面を有するパネルユニットを表示操作装置として備え、印刷指示や設定等の入力操作及びその入力結果の表示をパネルユニットの画面を通じて行うものが知られている。
【０００３】
特許文献１には、パネルユニットの画面上にプレビュー画像を表示し、プレビュー画像上で印刷設定としての後処理設定を行う技術が開示されている。具体的には、ステープリングメニュー又は穴あけメニューの選択に応じてプレビュー画像上にステープルやパンチ穴を表示し、そのステープルやパンチ穴を指等によりプレビュー画像上で移動させる。
【０００４】
これにより、特許文献１の技術では、ステープル又はパンチ穴を、プレビュー画像上で確認しながら所望の位置に設定することができる。
【０００５】
しかし、特許文献１の技術によれば、ステープルやパンチ穴をそれぞれメニューの選択によりプレビュー画像上に表示させた上で移動させるので、後処理の設定操作が煩雑になっていた。
【０００６】
また、パネルユニットでは、その画面の制約上から後処理の設定のメニューを表示するまでに複数のステップを経る必要があり、操作に不慣れなユーザー等は、後処理の設定に時間がかかっていた。
【先行技術文献】
【特許文献】
【０００７】
【特許文献１】特開２００４−２８２４３９号公報
【発明の概要】
【発明が解決しようとする課題】
【０００８】
本発明が解決しようとする問題点は、プレビュー画像を通じた異なる印刷設定を行う場合に、操作が煩雑で時間もかかる点である。
【課題を解決するための手段】
【０００９】
本発明は、プレビュー画像を通じて異なる印刷設定を容易に行わせるため、パネルユニットを備えた画像形成装置であって、前記パネルユニットは、表示操作画面とパネル制御部を有し、前記パネル制御部は、印刷設定のための文書のプレビュー画像を前記表示操作画面上に表示するプレビュー表示部と、前記表示操作画面上で前記プレビュー画像の一部が選択されてから選択が解除されるまでの操作種別及び操作位置に応じて異なる内容の印刷設定を受け付ける設定操作受付部と、前記設定操作受付部により受け付けられた印刷設定を前記プレビュー画像に反映させる設定反映部と、を備え、前記プレビュー画像は、異なる内容の前記印刷設定としての後処理設定を入力させ表示するものであり、前記後処理設定は、少なくとも、パンチ穴、ステープル、集約印刷、両面印刷、及び回転の設定を含み、前記プレビュー表示部は、少なくとも、前記パンチ穴の設定、前記ステープルの設定、前記集約印刷の設定のための３つのガイドアイコンを前記プレビュー画像中に表示し、３つの前記ガイドアイコンは、前記後処理設定の内容に対応した形状で、前記後処理設定の内容の属性に応じた位置に配置されており、前記設定操作受付部は、（１）前記プレビュー画像上の３つの前記ガイドアイコンに対するタップ操作により、前記パンチ穴と前記ステープルの位置、及び前記集約印刷の設定を受け付け、受け付けた設定内容のドラッグアンドドロップ操作で設定変更を受け付け、（２）前記プレビュー画像の一辺のドラッグ操作によりなぞられた辺を綴じ辺とする前記両面印刷の設定を受け付け、（３）前記プレビュー画像の非ガイドアイコン領域からのドラッグ操作による回転軌跡で前記回転の設定を受け付け、前記設定反映部は、（１）前記パンチ穴と前記ステープルの位置、及び前記集約印刷のための３つの前記ガイドアイコンを塗り画像にして強調表示し、（２）前記両面印刷の設定の場合は、前記プレビュー画像の一辺を塗り画像により強調表示し、（３）前記回転の設定の場合は、前記プレビュー画像自体が回転させるか、又は回転アイコンを表示させ、さらに、前記設定操作受付部は受け付けた設定内容のフリック操作により設定内容のキャンセルを受け付け、前記設定反映部はキャンセルされた前記設定内容を前記プレビュー画像から削除することを操作表示装置の最も主な特徴とする。
【発明の効果】
【００１０】
本発明によれば、プレビュー画像が表示される一つの画面上で、プレビュー画像を直接操作して異なる内容の後処理設定を容易に行うことができる。
【図面の簡単な説明】
【００１１】
【図１】パネルユニットを有する画像形成装置を示すブロック図である（実施例１）。
【図２】パネルユニットのプレビュー画像の表示画面例を示す概略図である（実施例１）。
【図３】画像形成装置の表示操作処理を示すフローチャートである（実施例１）。
【図４】パンチ穴位置設定のための画面例を示す概略図である（実施例１）。
【図５】ステープル位置設定のための画面例を示す概略図である（実施例１）。
【図６】集約印刷設定のための画面例を示す概概略である（実施例１）。
【図７】両面印刷設定のための画面例を示す概略図である（実施例１）。
【図８】画像回転設定のための画面例を示す概略図である（実施例１）。
【図９】後処理設定キャンセルのための画面例を示す概略図である（実施例１）。
【図１０】後処理の設定が反映された後のプレビュー画像の一例を示す概略図である（実施例１）。
【図１１】変形例に係り、部数表示領域を含むプレビュー画像の表示画面例を示す図である（実施例１）。
【発明を実施するための形態】
【００１２】
プレビュー画像を通じて異なる印刷設定を容易に行わせるという目的を、プレビュー画像の一部が選択されてから解除されるまでの操作種別及び操作位置に応じて異なる内容の印刷設定を受け付け、受け付けられた印刷設定をプレビュー画像に反映させる表示操作装置により実現した。
【００１３】
この表示操作装置は、タッチパネル式のパーソナルコンピューター等の情報処理装置や画像形成装置のパネルユニットに適している。ただし、タッチパネル式でなくても適用することは可能である。
【００１４】
以下、本発明の実施例について図面を参照して説明する。
【実施例１】
【００１５】
［画像形成装置の構成］
図１は、パネルユニットを有する画像形成装置を示すブロック図である。
【００１６】
図１の画像形成装置１は、例えばデジタル複合機等であり、画像形成としての印刷を行うプリント機能等の各種の機能を備えている。本実施例の画像形成装置１は、それらの機能に応じた構成の他に、表示操作装置としてのパネルユニット３を備えている。なお、図１では、各種機能に応じた構成は省略している。
【００１７】
パネルユニット３は、表示操作画面５及びパネル制御部７等を備えている。
【００１８】
表示操作画面５は、タッチパネル式の液晶表示画面等からなり、画像形成装置１に対する印刷設定の入力操作及びその入力結果の表示等を行わせるものである。入力操作は、ユーザーの指や専用のペン等によって行うことが可能である。ただし、以下においては、ユーザーの指によることを前提に説明する。
【００１９】
パネル制御部７は、プロセッサー、その動作プログラムを記憶するＲＯＭ（Read only Memory）、作業領域としてのＲＡＭ（Random Access Memory）等からなる。パネル制御部７は、表示操作プログラムを実行することにより、表示操作画面５上での入力操作及びその入力結果の表示を制御する。本実施例では、パネル制御部７がプレビュー表示部７１、設定操作受付部７２、設定反映部７３、設定確定部７４として機能する。
【００２０】
プレビュー表示部７１は、プレビュー表示機能を実現するものであり、例えば印刷設定のための文書のプレビュー画像を操作表示画面５に表示する。
【００２１】
プレビュー画像は、印刷設定としての後処理設定を入力させ表示するものである。ここでの後処理設定は、例えば、パンチ穴、ステープル、両面印刷、集約印刷、回転等の設定である。
【００２２】
図２は、パネルユニットの操作表示画面上でのプレビュー画像の表示画面例を示す概略図である。
【００２３】
図２のプレビュー画像２０は、後処理設定がなされていない状態（未設定状態）を示す。なお、プレビュー画像２０は、文書情報を有さない白紙であるが、実際には、印刷が行われる文書のプレビュー表示となっている。ただし、プレビュー画像２０は、図２のように白紙であってもよい。この場合は、プレビュー画像２０を後処理設定を入力させ表示するためのアイコンとして用いることができる。
【００２４】
本実施例のプレビュー画像２０上には、ガイドアイコン３０Ａ、３０Ｂ及び３０Ｃが表示されている。ガイドアイコン３０Ａ、３０Ｂ及び３０Ｃは、それぞれ異なる内容の後処理設定であるパンチ穴、ステープル、及び集約印刷（用紙中心線の線引き）の設定をガイドするために設けられるものである。なお、ガイドアイコン３０Ａ〜３０Ｂは、ユーザーが指で触れることによる選択が可能となっている。
【００２５】
ガイドアイコン３０Ａ、３０Ｂ及び３０Ｃは、後処理の設定内容に対応した形状で、後処理の設定内容の属性に応じた位置に配置されている。
【００２６】
本実施例において、ガイドアイコン３０Ａは、パンチ穴に対応した円形形状となっており、パンチ穴の属性に応じてプレビュー画像２０の上部短辺近傍及び左右の長辺の近傍に配置されている。
【００２７】
ガイドアイコン３０Ｂは、ステープルに対応した矩形形状となっており、ステープルの属性に応じてプレビュー画像２０の左上隅近傍左辺の端部の近傍に配置されている。
【００２８】
ガイドアイコン３０Ｃは、集約印刷に対応し且つその属性に応じて、複数ページの文書を集約した後の状態を示す直線となっている。なお、図２の例では、ガイドアイコン３０Ｃがプレビュー画像２０を上下に二分している。
【００２９】
これらガイドアイコン３０Ａ〜３０Ｃは、図２において破線によって表示されているが、例えば色付きの実線等によって表示することも可能である。
【００３０】
図１の設定操作受付部７２は、設定操作受付機能を実現し、パネルユニット３の表示操作画面５上でプレビュー画像２０の一部が選択されてから解除されるまでの操作種別及び操作位置に応じて異なる内容の後処理設定を受け付ける。
【００３１】
選択及びその解除による操作種別としては、プレビュー画像２０の一部を指で触れることによる選択及びその直後の解除を通じたタップ操作、選択した状態で指をずらすドラッグ操作、ドラッグ操作後の解除によるドロップ操作、選択した状態で指を所定速度以上でずらしてから解除するフリック操作等がある。
【００３２】
操作位置としては、ガイドアイコン３０Ａ〜３０Ｃの他、プレビュー画像２０の各辺、プレビュー画像２０の各辺から内側のガイドアイコン３０Ａ〜３０Ｃが存在しない領域（非ガイドアイコン領域）等である。
【００３３】
それら操作種別及び操作位置に基づき、本実施例の設定操作受付部７２は、プレビュー画像２０上のガイドアイコン３０Ａ〜３０Ｃに対するタップ操作で、パンチ穴やステープルの位置、或いは集約印刷の設定を受け付ける（図４〜図６参照）。また、受け付けた設定内容のドラッグアンドドロップ操作で設定変更を受け付ける（図４〜図６参照）。
【００３４】
その他、プレビュー画像２０の一辺をなぞる操作（ドラッグ操作）でなぞられた辺を綴じ辺とする両面印刷設定を受け付け（図７参照）、プレビュー画像２０の非ガイドアイコン領域からのドラッグ操作による回転軌跡で画像の回転を受け付け（図８参照）、受け付けた設定内容のフリック操作で設定内容のキャンセルを受け付け（図９参照）、プレビュー画像２０の被ガイドアイコン領域からプレビュー画像２０外へのドラッグアンドドロップ操作で部数設定を受け付ける（図１１参照）。
【００３５】
なお、後処理設定のための操作は、上記のものに限られず、任意のものを採用することが可能である。例えば、プレビュー画像２０は、ガイドアイコン３０Ａ〜３０Ｃを省略することもできる。この場合、ガイドアイコン３０Ａ〜３０Ｃが表示されるべき領域やその近傍のタップ操作等により、パンチ穴やステープルの位置、或いは集約印刷の設定を受け付ければよい。
【００３６】
また、ガイドアイコン３０Ａ〜３０Ｃは、選択不能であってもよい。この場合は、ガイドアイコン３０Ａ〜３０Ｃが後処理設定のためのプレビュー画像２０上での操作位置を示すことになる。
【００３７】
設定反映部７３は、設定反映機能を実現し、設定操作受付部７２により受け付けられた後処理設定をプレビュー画像２０上に反映する。具体的には、ガイドアイコン３０Ａ〜３０Ｃの選択によりパンチ穴又はステープルの位置、或いは集約印刷が設定された場合は、ガイドアイコン３０Ａ〜３０Ｃを塗り画像や実線にしてプレビュー画像２０上で強調表示する。強調表示は、ガイドアイコン３０Ａ〜３０Ｃ上に位置させ、或いはアイコン３０Ａ〜３０Ｃに代えて行えばよい。
【００３８】
両面印刷が設定された場合には、ユーザーの指でなぞられた辺を綴じ辺としてプレビュー画像２０上で塗り画像や実線による強調表示をする。両面印刷が設定された場合には、プレビュー画像２０を回転させ、或いはプレビュー画像２０と共に円弧状等の回転アイコンを表示する。印刷設定がキャンセルされた場合には、プレビュー画像２０から対応する印刷設定を削除する。
【００３９】
設定確定部７４は、設定確定機能を実現し、表示操作画面５での設定確定操作に応じ、設定操作受付部７２で受け付けた後処理設定の内容を確定する。
［表示操作処理］
図３は、画像形成装置１の表示操作処理を示すフローチャートである。
【００４０】
本実施例の表示操作処理としては、例えばコピー時やボックス印刷時等に後処理設定を行う。なお、ボックス印刷は、画像形成装置１内の文書ボックスに記憶された画像データ（ボックス文書）による印刷を行う処理である。
【００４１】
ステップＳ１では、「プレビュー画像の表示」が行われる。この処理では、プレビュー表示部７１が、図２のようにプレビュー表示画面５０Ａとして印刷対象となる文書のプレビュー画像２０を表示操作画面５上に表示する。印刷対象となる文書は、例えば、スキャナー（図示せず）によって読み取られた原稿の画像データや文書ボックス内にのボックス文書等である。
【００４２】
こうしてステップＳ１が完了し、ステップＳ２へ移行する。
【００４３】
ステップＳ２では、「後処理設定操作あり？」の処理が行われる。この処理では、設定操作受付部７２が、プレビュー画像２０に対するユーザの指によるタップ、ドラッグ、フリック等の後処理設定操作を受け付ける。
【００４４】
後処理設定操作を受け付けた場合は「後処理設定操作あり」と判断してステップＳ３に移行し（ＹＥＳ）、後処理設定操作を受け付けない場合は「後処理設定操作なし」と判断してステップＳ２の処理を繰り返す（ＮＯ）。
【００４５】
図４〜図９は、後処理設定操作の画面例を示す概略図であり、図４はパンチ穴位置設定、図５はステープル位置設定、図６は集約印刷（２イン１印刷）設定、図７は両面印刷設定、図８は画像回転設定、図９は後処理設定キャンセルをそれぞれ示している。
【００４６】
図４〜図６のように、本実施例では、ガイドアイコン３０Ａ〜３０Ｃがタップ操作された場合、後処理設定操作が行われたと判断してステップＳ３に移行する。
【００４７】
また、図７〜図９のように、プレビュー画像２０の一辺をなぞるドラッグ操作（図７参照）、プレビュー画像２０の非ガイドアイコン領域からのドラッグ操作による回転軌跡描画（図８参照）、プレビュー画像２０に対するフリック操作（図９参照）が行われた場合も、後処理設定操作が行われたと判断してステップＳ３に移行する。
【００４８】
ステップＳ３では、「後処理設定の受付」が行われる。この処理では、設定操作受付部７２が、ステップＳ２での後処理設定操作（操作種別及び操作位置）を判別し、それに応じたパンチ穴、ステープル、集約印刷、両面印刷、又は回転等の後処理設定を上記のように受け付ける。
【００４９】
こうして後処理設定が受け付けられるとステップＳ４に移行する。
【００５０】
ステップＳ４では、「後処理反映」が行われる。この処理では、設定反映部７３が、ステップＳ３で受け付けられた後処理設定をプレビュー画像２０上に反映する。
【００５１】
この反映は、上記のように、パンチ穴やステープルの位置、或いは集約印刷の場合、ガイドアイコン３０Ａ〜３０Ｃを塗り画像にして強調表示する（図４〜図６）。
【００５２】
また、両面印刷の場合は、図７のようにプレビュー画像２０の一辺を塗り画像により強調表示し、回転の場合は、プレビュー画像２０自体を回転させ、或いは図８の実線のような回転アイコンを表示する。
【００５３】
さらに、後処理設定の削除の場合は、既存の後処理設定をプレビュー画像２０から削除する。
【００５４】
図１０は、後処理の設定が反映された後のプレビュー画像の一例を示す概略図である。図１０の例では、パンチＰ、ステープルＳ、両面Ｂが設定されて、プレビュー画像２０上に反映されている。
【００５５】
また、プレビュー画像２０の上部には、「指定は正しいですか？」等の設定の確認を促すメッセージを表示すると共に、プレビュー画像２０の下部には確定キー５５及びキャンセルキー５７が表示される。
【００５６】
確定キー５５は、プレビュー画像２０上の後処理設定の確定を指示するキーであり、キャンセルキー５７は、プレビュー画像２０上の後処理設定のキャンセルを指示するキーである。
【００５７】
こうして後処理設定の反映が完了すると、ステップＳ５に移行する。
【００５８】
ステップＳ５では「設定確定？」の処理が行われる。この処理では、設定確定部７４が、プレビュー表示画面５０Ａ上の確定キー５５が選択されたか否か等に応じて後処理設定が確定したか否かを判断する。
【００５９】
後処理設定が確定していない場合はステップＳ５の処理を繰り返し、後処理設定が確定した場合は、上記一連の表示操作処理を終了する。なお、キャンセルキー５７が選択された場合は、後処理設定がなされずに表示操作処理が終了する。
【００６０】
このような表示操作処理によれば、プレビュー画像２０におけるガイドアイコン３０Ａ、３０Ｂ、３０Ｃへのタップ、辺をなぞる、回転描画、フリック等の直接操作（図４〜図９参照）により、後処理として、パンチ穴やステープルの形成位置、集約（２イン１）印刷、両面印刷、画像回転等の設定や、後処理の削除を行うことができる。
【００６１】
なお、ガイドアイコン３０Ａや３０Ｂに対する操作に関しては、タップ操作を行ってパンチ穴、ステープルの位置を設定した後（図４、図５参照）、プレビュー画像２０上に反映されたパンチ穴やステープルをドラッグアンドドロップ操作して位置変更することも可能である。
［変形例］
図１１は、本実施例の変形例に係り、プレビュー表示画面を示す概略図である。
【００６２】
本変形例では、プレビュー表示部７１が部数表示領域５１を含むプレビュー表示画面５０Ｂを表示させる。すなわち、プレビュー表示画面５０Ｂには、プレビュー画像２０外で部数表示領域５１がプレビュー画像２０に隣接して表示されている。部数表示領域５１内には、印刷部数に応じた数字５２と、その数字分の部数の文書を重ねたイメージの部数アイコン５３とが、部数用のプレビュー画像として表示されている。そして、プレビュー表示画面５０Ｂにおいては、プレビュー画像２０を部数表示領域５１内へドラッグアンドドロップ操作することで、印刷部数を設定することが可能となっている。
【００６３】
このため、設定操作受付部７２は、上記ドラッグアンドドロップ操作に応じて、プレビュー画像２０に対応する文書の印刷部数を１だけ加算して設定する。
【００６４】
そして、設定反映部７３は、設定された印刷部数を、部数表示領域５１内の数字５２と部数アイコン５３の重ね合わせ枚数とに反映させる。なお、図１１の例では、プレビュー画像２０を部数表示領域５１に対して４回ドラッグアンドドロップ操作することにより、印刷部数「４部」が設定される場合の画面例を示している。
【００６５】
このように、本実施例では、プレビュー画像２０に対する部数表示領域５１へのドラッグアンドドロップ操作の回数に応じて印刷部数の設定を行うこともできる。
［実施例の効果］
本実施例は、印刷設定のための文書のプレビュー画像２０を操作表示画面５に表示するプレビュー表示部７１と、操作表示画面５上でプレビュー画像２０の一部が選択されてから解除されるまでの操作種別及び操作位置に応じて異なる内容の後処理設定を受け付ける設定操作受付部７２と、設定操作受付部７２により受け付けられた後処理設定をプレビュー画像２０に反映させる設定反映部７３とを備える。
【００６６】
従って、本実施例では、プレビュー画像２０が表示される一つの画面上で、プレビュー画像２０を直接操作して異なる内容の後処理設定を容易に行うことができる。
【００６７】
しかも、本実施例では、異なる内容の後処理設定がプレビュー画像２０に反映されるので、後処理の全体イメージを視認することができる。このため、異なる後処理設定が混在する場合でも、後処理設定の組み合わせを適切なものとすることが可能となる。例えば、ステープル位置と両面印刷との組み合わせの場合は、ステープル位置と両面印刷の綴じ辺とがプレビュー画像２０上の同一の辺に沿って位置することが好ましいが、そのような設定を容易に行うことができる。
【００６８】
また、本実施例では、設定操作受付部７２が操作表示画面５上でプレビュー画像２０の一部が選択されてから解除されるまでの操作種別及び操作位置に応じて異なる内容の後処理設定を受け付けるから、例えばプレビュー画像に対してユーザにより行われるタップ、ドラッグ、及びフリック等の直感的な操作で後処理設定が行えるようになる。
【００６９】
本実施例では、プレビュー表示部７１が異なる内容の後処理設定のための少なくとも操作位置を示すガイドアイコン３０Ａ〜３０Ｃをプレビュー画像２０中に表示するので、ガイドアイコン３０Ａ〜３０Ｃに応じた適切な操作位置で異なる後処理設定を容易且つ確実に行わせることができる。
【００７０】
特に、本実施例では、パンチ穴やステープルの位置及び集約印刷のための操作位置をプレビュー画像２０のみでは正確に認識することができないが、それらの操作位置をガイドアイコン３０Ａ〜３０Ｃによって正確に表してユーザーの操作を促すことができる。
【００７１】
また、本実施例のガイドアイコン３０Ａ〜３０Ｃは、選択可能であり、設定操作受付部７２は、ガイドアイコン３０Ａ〜３０Ｃの選択及びその解除により対応する後処理設定を受け付け、設定反映部７３は、受け付けられた後処理設定をプレビュー画像２０上でガイドアイコン３０Ａ〜３０Ｃ上に又はガイドアイコン３０Ａ〜３０Ｃに代えて表示する。
【００７２】
従って、本実施例では、ガイドアイコン３０Ａ〜３０Ｃを通じて行われた後処理設定を、プレビュー画像２０上へ容易且つ確実に反映することができる。
［その他］
以上、本発明の実施例について説明したが、本発明はこれに限られるものではなく、各種の変更が可能である。例えば、本発明は、タッチパネル式ではない表示操作装置に適用可能であるが、その場合は、マウス等の操作装置とディスプレイ等の表示装置を組み合わせて構成すればよい。プレビュー画像２０に対するタップ、ドラッグ、及びフラック等の操作は、マウス等で実現できる。
【００７３】
上記の実施例では、印刷設定としての後処理設定を行う場合について説明したが、プレビュー画像２０上に反映可能な印刷設定であれば、後処理設定に限らず行うことができる。
【符号の説明】
【００７４】
１  画像形成装置
３  パネルユニット
５  表示操作画面
５０Ａ，５０Ｂ  プレビュー表示画面
２０  プレビュー画像
３０Ａ，３０Ｂ，３０Ｃ  ガイドアイコン
７  パネル制御部
７１  プレビュー表示部
７２  設定操作受付部
７３  設定反映部
７４  設定確定部
【図１】
0006013996.tif 000002
【図２】
0006013996.tif 000003
【図３】
0006013996.tif 000004
【図４】
0006013996.tif 000005
【図５】
0006013996.tif 000006
【図６】
0006013996.tif 000007
【図７】
0006013996.tif 000008
【図８】
0006013996.tif 000009
【図９】
0006013996.tif 000010
【図１０】
0006013996.tif 000011
【図１１】
0006013996.tif 000012